(57)【特許請求の範囲】
【請求項１】
受信電力制御コマンドに従って送信電力を調整するための内部ループ電力制御アルゴリズムを含む電力制御アルゴリズムを用いて、移動無線通信システムの性能を向上させる方法であって、
最後の受信電力制御コマンドについて既に得られた累積電力変動（Δｓｕｍ（ｋ））を考慮して、電力増加を要求する受信電力制御コマンド（ＴＰＣ（ｋ））に従って送信電力が増加されるべきかどうかを決定するステップと、
前記決定するステップによって用いられる累積電力変動（Δｓｕｍ（ｋ））を求めるステップとを含み、前記求めるステップは、さらに前記内部ループ電力制御アルゴリズムによる電力調整（ＰＴＰＣ（ｋ））に加えて、前記累積電力変動に影響を与え得る少なくとも１つの他の要因を考慮することを含む方法。
【請求項２】
前記少なくとも１つの他の要因は、少なくとも１つの電力制限に対応し、前記求めるステップは、電力調整が、電力限界（Ｍａｘｉｍｕｍ＿ＤＬ＿Ｐｏｗｅｒ、Ｍｉｎｉｍｕｍ＿ＤＬ＿Ｐｏｗｅｒ）の範囲を超える電力変動を生じないことを考慮することを含む請求項１に記載の方法。
【請求項３】
前記累積電力変動は、異なるタイプの電力調整を含む調整済み電力（Ｐ（ｋ））に基づいて求められ、前記少なくとも１つの他の要因は、前記内部ループ電力制御アルゴリズムによる電力調整（ＰＴＰＣ（ｋ））以外の、少なくとも１つの他のタイプの電力調整に対応する請求項１に記載の方法。
【請求項４】
前記少なくとも他の１つのタイプの電力調整は、無線リンク電力を共通基準電力に対して平衡させるダウンリンク電力制御手順に従う補正（Ｐｂａｌ（ｋ））に対応する請求項３に記載の方法。
【請求項５】
１つの他のタイプの電力調整は、圧縮モードにおける目標ＳＩＲ変動による電力調整（Ｐｓｉｒ（ｋ））に対応し、前記累積電力変動を求めるために、前記調整済み電力（Ｐ（ｋ））から減算される請求項３に記載の方法。
【請求項６】
前記累積電力変動は、前記内部ループ電力制御アルゴリズムによる電力調整（ＰＴＰＣ（ｋ））に基づいて求められる請求項１に記載の方法。
【請求項７】
累積電力変動を求める前記ステップは、
【数１】
0005358657.tif 000008
であるようなΔｓｕｍ（ｋ）を求めることを含み、
通常モードでは、
ＱＴＰＣ（ｋ）＝Ｐ（ｋ）−Ｐ（ｋ−１）であり、
圧縮モードでは、
ＱＴＰＣ（ｋ）＝（Ｐ（ｋ）−ＰＳＩＲ（ｋ））−Ｐ（ｋ−１）であり、
ここで、ＤＬ＿Ｐｏｗｅｒ＿Ａｖｅｒａｇｉｎｇ＿Ｗｉｎｄｏｗ＿Ｓｉｚｅは、前記最後の受信電力制御コマンドの数に対応し、
Ｍａｘｉｍｕｍ＿ＤＬ＿ＰｏｗｅｒおよびＭｉｎｉｍｕｍ＿ＤＬ＿Ｐｏｗｅｒはそれぞれ、最大および最小電力限界に対応し、
Ｐ（ｋ）、Ｐ（ｋ−１）はそれぞれ、ｋ番目、（ｋ−１）番目の電力調整後の調整済み電力に対応し、
通常モードでは、
Ｐ（ｋ）＝ｍｉｎ＿ｍａｘ＿ｌｉｍｉｔ（Ｐ（ｋ−１）＋ＰＴＰＣ（ｋ）＋Ｐｂａｌ（ｋ））であり、
ここで、関数「ｍｉｎ＿ｍａｘ＿ｌｉｍｉｔ（．）」は、Ｐ（ｋ）を、最大電力限界と最小電力限界の範囲内に保つための制限関数を表し、
圧縮モードでは、
Ｐ（ｋ）＝ｍｉｎ＿ｍａｘ＿ｌｉｍｉｔ＿ｃｍ（Ｐ（ｋ−１）＋ＰＴＰＣ（ｋ）＋Ｐｂａｌ（ｋ）＋Ｐｓｉｒ（ｋ））であり、
ここで、関数「ｍｉｎ＿ｍａｘ＿ｌｉｍｉｔ＿ｃｍ（．）」は、Ｐ（ｋ）を、最大電力限界と最小電力限界の範囲内に保つための制限関数を表し、
ＰＴＰＣ（ｋ）は、前記内部ループ電力制御アルゴリズムによるｋ番目の電力調整に対応し、
Ｐｂａｌ（ｋ）は、無線リンク電力を共通基準電力の方に平衡させるダウンリンク電力制御手順に従う補正に対応し、
Ｐｓｉｒ（ｋ）は、圧縮モードにおける目標ＳＩＲ変動による電力調整（Ｐｓｉｒ（ｋ））に対応する請求項１に記載の方法。
【請求項８】
累積電力変動を求める前記ステップは、
【数２】
0005358657.tif 000009
であるようなΔｓｕｍ（ｋ）を求めることを含み、
Ｐ（ｋ）＝Ｍａｘｉｍｕｍ＿ＤＬ＿Ｐｏｗｅｒ＋δＰｃｕｒｒ（ｋ番目のスロットが通常スロットである場合δＰｃｕｒｒ＝０であり、ｋ番目のスロットが圧縮スロットである場合δＰｃｕｒｒ＞０である）である場合、
ＱＴＰＣ（ｋ）＝０であり、
Ｐ（ｋ）＝Ｍｉｎｉｍｕｍ＿ＤＬ＿Ｐｏｗｅｒである場合、
ＱＴＰＣ（ｋ）＝０であり、
それ以外の場合、ＱＴＰＣ（ｋ）＝ＰＴＰＣ（ｋ）であり、
ここで、ＤＬ＿Ｐｏｗｅｒ＿Ａｖｅｒａｇｉｎｇ＿Ｗｉｎｄｏｗ＿Ｓｉｚｅは、前記最後の受信電力制御コマンドの数に対応し、
Ｍａｘｉｍｕｍ＿ＤＬ＿ＰｏｗｅｒおよびＭｉｎｉｍｕｍ＿ＤＬ＿Ｐｏｗｅｒはそれぞれ、最大および最小電力限界に対応し、
ＰＴＰＣ（ｋ）は、前記内部ループ電力制御アルゴリズムによるｋ番目の電力調整に対応し、
Ｐ（ｋ）、Ｐ（ｋ−１）はそれぞれ、ｋ番目、（ｋ−１）番目の電力調整後の調整済み電力に対応し、
通常モードでは、
Ｐ（ｋ）＝ｍｉｎ＿ｍａｘ＿ｌｉｍｉｔ（Ｐ（ｋ−１）＋ＰＴＰＣ（ｋ）＋Ｐｂａｌ（ｋ））であり、
ここで、関数「ｍｉｎ＿ｍａｘ＿ｌｉｍｉｔ（．）」は、Ｐ（ｋ）を、最大電力限界と最小電力限界の範囲内に保つための制限関数を表し、
圧縮モードでは、
Ｐ（ｋ）＝ｍｉｎ＿ｍａｘ＿ｌｉｍｉｔ＿ｃｍ（Ｐ（ｋ−１）＋ＰＴＰＣ（ｋ）＋Ｐｂａｌ（ｋ）＋Ｐｓｉｒ（ｋ））であり、
ここで、関数「ｍｉｎ＿ｍａｘ＿ｌｉｍｉｔ＿ｃｍ（．）」は、Ｐ（ｋ）を、最大電力限界と最小電力限界の範囲内に保つための制限関数を表し、
Ｐｂａｌ（ｋ）は、無線リンク電力を共通基準電力の方に平衡させるダウンリンク電力制御手順に従う補正に対応し、
Ｐｓｉｒ（ｋ）は、圧縮モードにおける目標ＳＩＲ変動による電力調整（Ｐｓｉｒ（ｋ））に対応する請求項１に記載の方法。
【請求項９】
累積電力変動を求める前記ステップは、
【数３】
0005358657.tif 000010
であるようなΔｓｕｍ（ｋ）を求めることを含み、
Ｐ（ｋ）＞Ｍａｘｉｍｕｍ＿ＤＬ＿Ｐｏｗｅｒ＋δＰｃｕｒｒ（ｋ番目のスロットが通常スロットである場合δＰｃｕｒｒ＝０であり、ｋ番目のスロットが圧縮スロットである場合δＰｃｕｒｒ＞０である）である場合、
ＱＴＰＣ（ｋ）＝０であり、
Ｐ（ｋ）＜Ｍｉｎｉｍｕｍ＿ＤＬ＿Ｐｏｗｅｒである場合、
ＱＴＰＣ（ｋ）＝０であり、
それ以外である場合、ＱＴＰＣ（ｋ）＝ＰＴＰＣ（ｋ）であり、
ここで、ＤＬ＿Ｐｏｗｅｒ＿Ａｖｅｒａｇｉｎｇ＿Ｗｉｎｄｏｗ＿Ｓｉｚｅは、前記最後の受信電力制御コマンドの数に対応し、
Ｍａｘｉｍｕｍ＿ＤＬ＿ＰｏｗｅｒおよびＭｉｎｉｍｕｍ＿ＤＬ＿Ｐｏｗｅｒはそれぞれ、最大および最小電力限界に対応し、
ＰＴＰＣ（ｋ）は、前記内部ループ電力制御アルゴリズムによるｋ番目の電力調整に対応し、
Ｐ（ｋ）は、ｋ番目の電力調整後の調整済み電力に対応する請求項１に記載の方法。
【請求項１０】
移動無線通信システム用の機器であって、
最後の受信電力制御コマンドについて既に得られた累積電力変動（Δｓｕｍ（ｋ））を考慮して、電力増加を要求する制御コマンド（ＴＰＣ（ｋ））が適用されるべきかどうかを決定する手段と、
前記決定する手段によって用いられる累積電力変動（Δｓｕｍ（ｋ））を求める手段とを含み、前記累積電力変動を求める手段は、さらに前記内部ループ電力制御アルゴリズムによる電力調整に加えて、前記累積電力変動に影響を与え得る少なくとも１つの他の要因を考慮する手段を含む機器。
【請求項１１】
累積電力変動を求める前記手段は、
【数４】
0005358657.tif 000011
であるようなΔｓｕｍ（ｋ）を求める手段を備え、
通常モードでは、
ＱＴＰＣ（ｋ）＝Ｐ（ｋ）−Ｐ（ｋ−１）であり、
圧縮モードでは、
ＱＴＰＣ（ｋ）＝（Ｐ（ｋ）−ＰＳＩＲ（ｋ））−Ｐ（ｋ−１）であり、
ここで、ＤＬ＿Ｐｏｗｅｒ＿Ａｖｅｒａｇｉｎｇ＿Ｗｉｎｄｏｗ＿Ｓｉｚｅは、前記最後の受信電力制御コマンドの数に対応し、
Ｍａｘｉｍｕｍ＿ＤＬ＿ＰｏｗｅｒおよびＭｉｎｉｍｕｍ＿ＤＬ＿Ｐｏｗｅｒはそれぞれ、最大および最小電力限界に対応し、
Ｐ（ｋ）、Ｐ（ｋ−１）はそれぞれ、ｋ番目、（ｋ−１）番目の電力調整後の調整済み電力に対応し、
通常モードでは、
Ｐ（ｋ）＝ｍｉｎ＿ｍａｘ＿ｌｉｍｉｔ（Ｐ（ｋ−１）＋ＰＴＰＣ（ｋ）＋Ｐｂａｌ（ｋ））であり、
ここで、関数「ｍｉｎ＿ｍａｘ＿ｌｉｍｉｔ（．）」は、Ｐ（ｋ）を、最大電力限界と最小電力限界の範囲内に保つための制限関数を表し、
圧縮モードでは、
Ｐ（ｋ）＝ｍｉｎ＿ｍａｘ＿ｌｉｍｉｔ＿ｃｍ（Ｐ（ｋ−１）＋ＰＴＰＣ（ｋ）＋Ｐｂａｌ（ｋ）＋Ｐｓｉｒ（ｋ））であり、
ここで、関数「ｍｉｎ＿ｍａｘ＿ｌｉｍｉｔ＿ｃｍ（．）」は、Ｐ（ｋ）を、最大電力限界と最小電力限界の範囲内に保つための制限関数を表し、
ＰＴＰＣ（ｋ）は、前記内部ループ電力制御アルゴリズムによるｋ番目の電力調整に対応し、
Ｐｂａｌ（ｋ）は、無線リンク電力を共通基準電力の方に平衡させるダウンリンク電力制御手順に従う補正に対応し、
Ｐｓｉｒ（ｋ）は、圧縮モードにおける目標ＳＩＲ変動による電力調整（Ｐｓｉｒ（ｋ））に対応する請求項１０に記載の機器。
【請求項１２】
累積電力変動を求める前記手段は、
【数５】
0005358657.tif 000012
であるようなΔｓｕｍ（ｋ）を求める手段を備え、
Ｐ（ｋ）＝Ｍａｘｉｍｕｍ＿ＤＬ＿Ｐｏｗｅｒ＋δＰｃｕｒｒ（ｋ番目のスロットが通常スロットである場合δＰｃｕｒｒ＝０であり、ｋ番目のスロットが圧縮スロットである場合δＰｃｕｒｒ＞０である）である場合、
ＱＴＰＣ（ｋ）＝０であり、
Ｐ（ｋ）＝Ｍｉｎｉｍｕｍ＿ＤＬ＿Ｐｏｗｅｒである場合、
ＱＴＰＣ（ｋ）＝０であり、
それ以外の場合、ＱＴＰＣ（ｋ）＝ＰＴＰＣ（ｋ）であり、
ここで、ＤＬ＿Ｐｏｗｅｒ＿Ａｖｅｒａｇｉｎｇ＿Ｗｉｎｄｏｗ＿Ｓｉｚｅは、前記最後の受信電力制御コマンドの数に対応し、
Ｍａｘｉｍｕｍ＿ＤＬ＿ＰｏｗｅｒおよびＭｉｎｉｍｕｍ＿ＤＬ＿Ｐｏｗｅｒはそれぞれ、最大および最小電力限界に対応し、
ＰＴＰＣ（ｋ）は、前記内部ループ電力制御アルゴリズムによるｋ番目の電力調整に対応し、
Ｐ（ｋ）、Ｐ（ｋ−１）はそれぞれ、ｋ番目、（ｋ−１）番目の電力調整後の調整済み電力に対応し、
通常モードでは、
Ｐ（ｋ）＝ｍｉｎ＿ｍａｘ＿ｌｉｍｉｔ（Ｐ（ｋ−１）＋ＰＴＰＣ（ｋ）＋Ｐｂａｌ（ｋ））であり、
ここで、関数「ｍｉｎ＿ｍａｘ＿ｌｉｍｉｔ（．）」は、Ｐ（ｋ）を、最大電力限界と最小電力限界の範囲内に保つための制限関数を表し、
圧縮モードでは、
Ｐ（ｋ）＝ｍｉｎ＿ｍａｘ＿ｌｉｍｉｔ＿ｃｍ（Ｐ（ｋ−１）＋ＰＴＰＣ（ｋ）＋Ｐｂａｌ（ｋ）＋Ｐｓｉｒ（ｋ））であり、
ここで、関数「ｍｉｎ＿ｍａｘ＿ｌｉｍｉｔ＿ｃｍ（．）」は、Ｐ（ｋ）を、最大電力限界と最小電力限界の範囲内に保つための制限関数を表し、
Ｐｂａｌ（ｋ）は、無線リンク電力を共通基準電力の方に平衡させるダウンリンク電力制御手順に従う補正に対応し、
Ｐｓｉｒ（ｋ）は、圧縮モードにおける目標ＳＩＲ変動による電力調整（Ｐｓｉｒ（ｋ））に対応する請求項１０に記載の機器。
【請求項１３】
累積電力変動を求める前記手段は、
【数６】
0005358657.tif 000013
であるようなΔｓｕｍ（ｋ）を求める手段を備え、
Ｐ（ｋ）＞Ｍａｘｉｍｕｍ＿ＤＬ＿Ｐｏｗｅｒ＋δＰｃｕｒｒ（ｋ番目のスロットが通常スロットである場合δＰｃｕｒｒ＝０であり、ｋ番目のスロットが圧縮スロットである場合δＰｃｕｒｒ＞０である）である場合、
ＱＴＰＣ（ｋ）＝０であり、
Ｐ（ｋ）＜Ｍｉｎｉｍｕｍ＿ＤＬ＿Ｐｏｗｅｒである場合、
ＱＴＰＣ（ｋ）＝０であり、
それ以外である場合、ＱＴＰＣ（ｋ）＝ＰＴＰＣ（ｋ）であり、
ここで、ＤＬ＿Ｐｏｗｅｒ＿Ａｖｅｒａｇｉｎｇ＿Ｗｉｎｄｏｗ＿Ｓｉｚｅは、前記最後の受信電力制御コマンドの数に対応し、
Ｍａｘｉｍｕｍ＿ＤＬ＿ＰｏｗｅｒおよびＭｉｎｉｍｕｍ＿ＤＬ＿Ｐｏｗｅｒはそれぞれ、最大および最小電力限界に対応し、
ＰＴＰＣ（ｋ）は、前記内部ループ電力制御アルゴリズムによるｋ番目の電力調整に対応し、
Ｐ（ｋ）は、ｋ番目の電力調整後の調整済み電力に対応する請求項１０に記載の機器。
【請求項１４】
機器が、ネットワーク機器に対応する請求項１０に記載の機器。
【請求項１５】
機器が、基地局に対応する請求項１４に記載の機器。
【請求項１６】
機器が、移動端末に対応する請求項１０に記載の機器。
【請求項１７】
請求項１０による少なくとも１つの機器を備える移動無線通信システム。
【発明の詳細な説明】
【技術分野】
【０００１】
本出願は、２００３年１２月２２日に出願され、参照により本明細書に組み込まれる欧州特許出願第０３２９３２８５．７号に基づき、かつ、その利益を主張する。
【０００２】
本発明は概して、移動無線通信システムに関する。
【０００３】
本発明は特に、特にＵＭＴＳ（ユニバーサル移動通信システム）などの第３世代移動無線通信システムに適用可能である。
【背景技術】
【０００４】
一般に、移動無線通信システムは、標準化の対象となっている。したがって、こうしたシステムに関するより多くの情報について、たとえば、３ＧＰＰ（第３世代パートナーシッププロジェクト）などの、対応する標準化機関によって発行された対応する標準を参照することが可能である。
【０００５】
特に、ＵＭＴＳタイプのシステムなどの、移動無線通信システムの一般的なアーキテクチャが、図１において思い起こされる。システムは、移動端末すなわちＵＥ（ユーザ機器）および外部ネットワーク（具体的には示さず）と通信する移動無線通信ネットワークを備える。
【０００６】
移動無線通信ネットワークは、
−無線アクセスネットワークすなわちＵＴＲＡＮ（ＵＭＴＳターミナル地上無線接続ネットワーク）と、
−コアネットワークすなわちＣＮを備える。
【０００７】
第３世代システム、特にはＵＭＴＳタイプのシステムは、Ｗ−ＣＤＭＡ（Ｗ−ＣＤＭＡは広帯域−符号分割多重アクセスを意味する）タイプの無線アクセス技術を使用する。
【０００８】
ＵＴＲＡＮは、《ノードＢ》と呼ぶ基地局およびＲＮＣ《無線ネットワーク制御器》と呼ぶ基地局制御器を備える。ＵＴＲＡＮは、一方で、《Ｕｕインタフェース》（すなわち、無線インタフェース）と呼ぶインタフェースを介して移動端末ＵＥと関連し、他方で、《ｌｕインタフェース》と呼ぶインタフェースを介してＣＮと関連する。ＵＴＲＡＮ内で、ノードＢは、《ｌｕｂインタフェース》と呼ぶインタフェースを介してＲＮＣと通信し、《ｌｕｒインタフェース》と呼ぶインタフェースがＲＮＣ間に設けられてもよい。
【０００９】
（サービス品質、容量などの点で）性能を向上させるために、こうしたシステム、特に、ＣＤＭＡまたはＷ−ＣＤＭＡタイプの無線アクセス技術を用いるシステムにおいて、電力制御技法が一般に用いられる。こうした電力制御技法は特に、閉ループ電力制御アルゴリズムを含み、そしてこの閉ループ電力制御アルゴリズムは内部ループアルゴリズムおよび外部ループアルゴリズムを含む。
【００１０】
たとえば、ダウンリンクについて、閉ループ電力制御アルゴリズムの原理がここで思い起こされる。内部ループアルゴリズムにおいて、ＵＥは、ノードＢから受信した信号のＳＩＲを周期的に評価し、この評価ＳＩＲを目標ＳＩＲ（ＳＩＲｔａｒｇｅｔ）と比較する。評価ＳＩＲが目標ＳＩＲより低い場合、ＵＥは、ノードＢがその送信電力を増加させるコマンドをノードＢに送る。そうでなければ、ＵＥはノードＢがその送信電力を減少させるコマンドをノードＢに送る。目標ＳＩＲは、外部ループアルゴリズムに従って、必要とされるサービス品質に応じて、ＵＥによって選択される。
【００１１】
たとえば、ＵＭＴＳなどのシステムの場合、こうした閉ループ電力制御アルゴリズムは、技術仕様３ＧＰＰ  ＴＳ  ２５．２１４において規定される。
【００１２】
さらに、３ＧＰＰ規格（リリースＲ９９およびより最近のリリース）において、「制限付き電力上昇アルゴリズム」として知られるアルゴリズムが規定された（特に、ＴＳ  ２５．２１４  Ｖ５．６．０（２００３−０９）の章５．２．１．２．２を参照されたい）。
【００１３】
このアルゴリズムの目的は、ノードＢの送信電力の急激な増加を避けることである。実際に、深いフェージングホールの場合、電力を著しく大きく増加させないことが好ましい。それは、いずれにしても、電力増加が、一部のデータを喪失することを避けるのに十分に速くないため、また、この電力増加が重要な電力資源を犠牲にする（他のＵＥが使用することができなくなる）と思われるためである。
【００１４】
要約すると、規格において現在規定される制限付き電力上昇アルゴリズムは以下の通りである。
【００１５】
最後のＤＬ＿Ｐｏｗｅｒ＿Ａｖｅｒａｇｉｎｇ＿Ｗｉｎｄｏｗ＿ＳｉｚｅのＴＰＣコマンドにわたって、Ｐｏｗｅｒ＿Ｒａｉｓｅ＿Ｌｉｍｉｔ  ｄＢを超えて送信電力が増加すると思われる場合、電力増加を要求する電力制御コマンドまたはＵＰ電力制御コマンドまたはＵＰ  ＴＰＣ（ＴＰＣは送信電力制御を意味する）は適用されない。
【００１６】
Ｐｏｗｅｒ＿Ｒａｉｓｅ＿ＬｉｍｉｔおよびＤＬ＿Ｐｏｗｅｒ＿Ａｖｅｒａｇｉｎｇ＿Ｗｉｎｄｏｗ＿Ｓｉｚｅは、アルゴリズムのパラメータであり、セルのセットアップ（ＲＮＣによってノードＢに送られるメッセージ「セルセットアップ要求」）時に、ＮＢＡＰ（ノードＢアプリケーション部）プロトコルを用いて、ＲＮＣによってノードＢにおいて構成される。
【００１７】
制限付き電力上昇アルゴリズムは、ノードＢにおいて実施される。
【００１８】
３ＧＰＰ規格において現在規定されるダウンリンク電力制御アルゴリズムは以下の通りである。
【００１９】
ＴＰＣコマンドを受信すると、ＵＴＲＡＮは、それに応じて、そのダウンリンクＤＰＣＣＨ／ＤＰＤＣＨ（専用物理制御チャネル／専用物理データチャネル）電力を調整する。ＵＴＲＡＮは、送信されたＴＰＣコマンドＴＰＣｅｓｔが０かまたは１であるかを評価し、電力を更新する。
【００２０】
ｋ番目のＴＰＣコマンドを評価した後、ＵＴＲＡＮは、以下の等式、すなわち、
Ｐ（ｋ）＝Ｐ（ｋ−１）＋ＰＴＰＣ（ｋ）＋Ｐｂａｌ（ｋ）
に従って、現在のダウンリンク電力Ｐ（ｋ−１）［ｄＢ］を新しい電力Ｐ（ｋ）［ｄＢ］に調整する。
【００２１】
ここで、ＰＴＰＣ（ｋ）は、内部ループ電力制御によるｋ番目の電力調整であり、Ｐｂａｌ（ｋ）［ｄＢ］は、無線リンク電力を共通基準電力の方に平衡させるダウンリンク電力制御手順に従う補正である。
【００２２】
ＰＴＰＣ（ｋ）は以下に従って計算される。
【００２３】
制限付き電力増加使用パラメータの値が、「使用されない」場合、
【数１】
0005358657.tif 000002
であり、
制限付き電力増加使用パラメータの値が、「使用される」場合、ｋ番目の内部ループ電力調整は、
【数２】
0005358657.tif 000003
として計算される。
【００２４】
ここで、
【数３】
0005358657.tif 000004
は、最後のＤＬ＿Ｐｏｗｅｒ＿Ａｖｅｒａｇｉｎｇ＿Ｗｉｎｄｏｗ＿Ｓｉｚｅの内部ループ電力調整（ｄＢ）の一時的な合計である。
【００２５】
制限付き電力増加法の起動後の、最初の（ＤＬ＿Ｐｏｗｅｒ＿Ａｖｅｒａｇｉｎｇ＿Ｗｉｎｄｏｗ＿Ｓｉｚｅ−１）調整の場合、等式（１）が、等式（２）の代わりに用いられる。Ｐｏｗｅｒ＿Ｒａｉｓｅ＿ＬｉｍｉｔおよびＤＬ＿Ｐｏｗｅｒ＿Ａｖｅｒａｇｉｎｇ＿Ｗｉｎｄｏｗ＿Ｓｉｚｅは、ＵＴＲＡＮにおいて構成されるパラメータである。
【００２６】
電力制御ステップサイズΔＴＰＣは、４つの値、すなわち、０．５、１、１．５、または２ｄＢをとることができる。ＵＴＲＡＮが１ｄＢのΔＴＰＣをサポートすることは、強制的であり、一方、他のステップサイズは任意選択である。
【００２７】
１つの時間スロットにわたる、送信ＤＰＤＣＨ（専用物理データチャネル）シンボルの平均電力は、Ｍａｘｉｍｕｍ＿ＤＬ＿Ｐｏｗｅｒ（ｄＢ）を超えず、かつＭｉｎｉｍｕｍ＿ＤＬ＿Ｐｏｗｅｒ（ｄＢ）未満である。送信ＤＰＤＣＨシンボルは、本明細書では、ＤＴＸ（不連続送信）を含まない、拡散前の複合ＱＰＳＫシンボルを意味する。Ｍａｘｉｍｕｍ＿ＤＬ＿Ｐｏｗｅｒ（ｄＢ）およびＭｉｎｉｍｕｍ＿ＤＬ＿Ｐｏｗｅｒ（ｄＢ）は、さらに３ＧＰＰ規格で規定される、主ＣＰＩＣＨ（共通パイロットチャネル）電力に対する、１つのチャネルコードについての電力限界である。
【００２８】
さらに、圧縮モードにおいて、通常モードの場合と同じアルゴリズムが適用されるが、Ｐ（ｋ）の定義を、
Ｐ（ｋ）＝Ｐ（ｋ−１）＋ＰＴＰＣ（ｋ）＋Ｐｂａｌ（ｋ）＋Ｐｓｉｒ（ｋ）で置き換える。
【００２９】
ここで、Ｐｓｉｒ（ｋ）は、圧縮モードにおけるダウンリンク目標ＳＩＲ（信号対干渉比）変動によるｋ番目の電力調整であり、
Ｐｓｉｒ（ｋ）＝δＰｃｕｒｒ−δＰｐｒｅｖである（ここで、δＰｃｕｒｒおよびδＰｐｒｅｖはそれぞれ、現在スロットおよび最も最近送信されたスロットのδＰの値であり、δＰの表現は、ＴＳ  ２５．２１４で与えられる）。
【００３０】
本発明は特に、３ＧＰＰ  ＴＳ  ２５．２１４で現在規定されるアルゴリズムに伴う以下の問題を認識する。
【００３１】
これらの問題は、ノードＢが、その最小または最大送信電力に近い（それは、ノードＢに近いか、または、セル端部に近いＵＥ全てについて起こるであろう）時に、このアルゴリズムが作用する方法と関連する。
【００３２】
こうした問題は、以下の設定、すなわち、
ＤＬ＿Ｐｏｗｅｒ＿Ａｖｅｒａｇｉｎｇ＿Ｗｉｎｄｏｗ＿Ｓｉｚｅ＝１０スロット
最小電力＝０ｄＢｍ
電力制御ステップ＝１ｄＢ
を有する例について説明されてもよい。
【００３３】
この例において、単純にするために、内部ループ電力制御によるもの以外の電力調整（たとえば、電力平衡調整）は考慮されていない。
【００３４】
たとえば、受信ＴＰＣ（すなわち、受信電力制御コマンド）および受信電力制御コマンドに従って調整後のＤＬ電力（すなわちダウンリンク電力）の以下のシーケンスを考える。
【００３５】
たとえば、受信ＴＰＣは、電力減少を要求する電力制御コマンドの場合ＤＯＷＮ（−１）を、電力増加を要求する電力制御コマンドの場合ＵＰ（＋１）を指示する。
【００３６】
たとえば、２ｄＢｍに等しいＤＬ電力で始まるシーケンスを考える。
−ＤＬ電力＝２ｄＢｍ
−ＴＰＣ＝ＤＯＷＮ（−１）を受信
⇒ＤＬ電力＝１ｄＢｍ  （デルタ＝−１ｄＢ）
ＴＰＣ＝ＤＯＷＮ（−１）を受信
⇒ＤＬ電力＝０ｄＢｍ  （デルタ＝−１ｄＢ）
ＴＰＣ＝ＤＯＷＮ（−１）を受信
⇒ＤＬ電力＝０ｄＢｍ  （デルタ＝０ｄＢ）
ＴＰＣ＝ＤＯＷＮ（−１）を受信
⇒ＤＬ電力＝０ｄＢｍ  （デルタ＝０ｄＢ）
ＴＰＣ＝ＤＯＷＮ（−１）を受信
⇒ＤＬ電力＝０ｄＢｍ  （デルタ＝０ｄＢ）
ＴＰＣ＝ＤＯＷＮ（−１）を受信
⇒ＤＬ電力＝０ｄＢｍ  （デルタ＝０ｄＢ）
ＴＰＣ＝ＵＰ（＋１）を受信
⇒ＤＬ電力＝１ｄＢｍ  （デルタ＝＋１ｄＢ）
ＴＰＣ＝ＵＰ（＋１）を受信
⇒ＤＬ電力＝２ｄＢｍ  （デルタ＝＋１ｄＢ）
ＴＰＣ＝ＵＰ（＋１）を受信
⇒ＤＬ電力＝３ｄＢｍ  （デルタ＝＋１ｄＢ）
ＴＰＣ＝ＵＰ（＋１）を受信
⇒ＤＬ電力＝４ｄＢｍ  （デルタ＝＋１ｄＢ）
ＴＰＣ＝ＵＰ（＋１）を受信
⇒ＤＬ電力＝５ｄＢｍ  （デルタ＝＋１ｄＢ）
ＴＰＣ＝ＵＰ（＋１）を受信
⇒ＤＬ電力＝６ｄＢｍ  （デルタ＝＋１ｄＢ）
ＴＰＣ＝ＵＰ（＋１）を受信
【００３７】
この時、すなわち、この最後のＴＰＣコマンドが受信される時、ＴＳ  ２５．２１４で現在規定され、先に呼び起こされたアルゴリズムに従って、最後のＤＬ＿Ｐｏｗｅｒ＿Ａｖｅｒａｇｉｎｇ＿Ｗｉｎｄｏｗ＿Ｓｉｚｅ＝１０であり、内部ループ電力制御による電力調整の合計は、−１−１−１−１＋１＋１＋１＋１＋１＋１＝＋２ｄＢに等しい。
【００３８】
この合計は、それが急激な増加であるかどうかを決定する、制限付き電力上昇アルゴリズムにおいて考慮されるものであり、急激な増加であると決定される場合には、最後のＴＰＣ＿ＵＰコマンドは考慮されない。
【００３９】
問題は、この合計が、著しく小さく（２ｄＢ）、最後の１０個のＴＰＣコマンドにわたる電力増加が非常に小さいという印象を与え、その場合おそらく、最後のＴＰＣ＿ＵＰコマンドが受け入れられるであろうということである。
【００４０】
しかし、最後のスロット中の実際の電力増加は、０＋０＋０＋０＋１＋１＋１＋１＋１＋１＝６ｄＢに等しく、すなわち、ずっと大きい。実際の電力増加は、ＴＰＣコマンドに対応する電力調整の合計に等しくない。それは、最小電力に既に達しているために、一部のＴＰＣコマンドが考慮されなかったためである。そしておそらく、この最後のＴＰＣコマンドを受け入れないことが好ましいであろう。
【００４１】
たとえば、パラメータＰｏｗｅｒ＿Ｒａｉｓｅ＿Ｌｉｍｉｔが４ｄＢに設定される場合で、かつ、先の例を考えると、規格における現在の実施態様を用いて、最後のＴＰＣ＿ＵＰコマンドは、受け入れられるであろう（そして、ノードＢ電力は１ｄＢだけ増加するであろう）。しかし、実際の電力増加は６ｄＢに等しいため、それを排除することがよりよいであろう。
【００４２】
同じ問題が、ノードＢ電力が最大電力に近い時に起こる（この場合、ノードＢが最大電力に既に達しているため、ノードＢによって考慮されない一部のＴＰＣ＿ＵＰコマンドが存在する場合があり、それが、先に述べた問題と同様の問題を引き起こすであろう）。たとえば、たまたま、最大電力から始まって、短い間の電力減少があった後、新たな電力増加が必要とされるが、受け入れられないことになる場合がある。それは、現在のアルゴリズムが、ノードＢがその電力を過度に増加させたかのように実行するからであるが、実際にはそうではなく、ノードＢが最大送信電力に達していたためである。ノードＢがその最大電力に近い場合には、ノードＢが大量の電力を消費するため、問題はいっそう深刻である。
【００４３】
換言すれば、３ＧＰＰ規格において現在規定されるアルゴリズムなどのアルゴリズムは、ノードＢ電力が最小または最大送信電力に近い時には正確に動作しない。すなわち、ある場合には、むしろ正反対を行うべきであるのに、ＴＰＣ＿ＵＰコマンドは受け入れられ、または拒絶される。
【００４４】
さらに換言すれば、本発明は、少なくとも、制限付き電力上昇アルゴリズムにおいて電力制限が考慮されず、それが、システム性能（サービス品質、能力、…の点で）の低下を生ずる場合があるという理由のために、３ＧＰＰ規格において現在規定されるアルゴリズムなどの制限付き電力上昇アルゴリズムを最適化する必要が存在することを認める。より全般的には、こうしたアルゴリズムにおいて行われる決定は、内部ループ電力制御による電力調整に基づくため、本発明は、こうしたアルゴリズムを最適化する必要が存在し、一方、この決定が実際の電力変動に近い量に基づくことができるように、他の要因（複数可）もまた考慮され、したがって、システム性能が改善されるであろうことを認める。
【先行技術文献】
【非特許文献】
【００４５】
【非特許文献１】技術仕様３ＧＰＰ  ＴＳ  ２５．２１４  Ｖ５．６．０
【発明の概要】
【発明が解決しようとする課題】
【００４６】
本発明は特に、上述した問題の一部または全てを解決すること、あるいは、上述した欠点の一部または全てを回避することを可能にする。
【００４７】
より全般的には、本発明の目的は、こうしたシステムの電力制御アルゴリズムの性能を向上させることである。
【課題を解決するための手段】
【００４８】
これらのおよび他の目的は、本発明の一態様において、電力制御アルゴリズムを用いて、移動無線通信システムの性能を向上させる方法によって達成され、前記電力制御アルゴリズムは、受信電力制御コマンドに従って送信電力を調整する内部ループ電力制御アルゴリズムを含み、前記方法は、
−最後の受信電力制御コマンドについて既に得られた累積電力変動を考慮して、電力増加を要求する制御コマンドに従って送信電力が増加されるべきかどうかを決定するステップと、
−前記決定するステップによって用いられる累積電力変動を求めるステップとを含み、前記求めるステップは、さらに前記内部ループ電力制御アルゴリズムによる電力調整に加えて、前記累積電力変動に影響を与え得る少なくとも１つの他の要因を考慮することを含む。
【００４９】
本発明は、ダウンリンク電力制御の場合に特に重要であるが、本発明は、この場合に限定されず、アップリンク電力制御の場合にも用いられるであろう。
【００５０】
本発明はまた、その目的として、特にダウンリンク電力制御のためのこうした方法を行う基地局（すなわち、ノードＢ）、または、特にアップリンク電力制御のためのこうした方法を行う移動端末（すなわち、ＵＥ）などの、ネットワーク機器などの、移動無線通信システム用機器、ならびに、少なくとも１つのこうした機器を備える移動無線通信システムを有する。
【００５１】
本発明の他の態様および／または目的は、添付特許請求の範囲で述べられる。
【００５２】
本発明のこれらのおよび他の態様および／または目的は、添付図面に関連して行われる以下の説明からより明らかになるであろう。
【図面の簡単な説明】
【００５３】
【図１】特に、ＵＭＴＳなどの移動無線通信システムの全体のアーキテクチャを呼び起こすことを意図する図である。
【図２】本発明による方法を実効するための、特にノードＢなどのネットワーク機器などの機器に設けられることができる手段の例を示すことを意図する図である。
【発明を実施するための形態】
【００５４】
本発明はまた、以下のように説明されてもよい。
【００５５】
本発明は、内部ループアルゴリズムによる最後の電力調整の合計に基づかずに、実際の電力変動に近い量に基づいて、制限付き電力上昇アルゴリズムの決定を行うことを提案する。実際に、これらの電力調整の一部は、最小および最大ＤＬ電力に達すると、ノードＢによって考慮されない場合がある。より全般的には、他の要因（複数可）が、この量が、実際の電力変動にできる限り近くなるように考慮される。
【００５６】
本発明は、制限付き電力上昇アルゴリズムの動作をよりよくさせ、したがって、このアルゴリズムに関して性能をよりよくすることを可能にする（すなわち、できる限り低い電力を消費しながら、ＵＥのＱｏＳ（サービス品質）に達する）。すなわち、
−必要でない時に、ノードＢの電力を増加させることが回避され、したがって、ノードＢの電力を過度に消費することが回避されるであろう（必要でない時に、ノードＢの電力を増加される事例は、ＤＬ電力が最小電力に近い時に現在起こり得る）
−必要な時に、ノードＢの電力を増加させるのを妨げることが回避され、したがって、ＵＥのＱｏＳに達することを可能にする（必要な時に、ノードＢの電力の増加を妨げる事例は、ＤＬ電力が最大電力に近い時に現在起こり得る）
【００５７】
本発明は、
−最後の受信電力制御コマンドについて既に得られた累積電力変動（Δｓｕｍ（ｋ））を顧慮して、電力増加を要求する制御コマンド（ＴＰＣ（ｋ））に従って送信電力が増加されるべきかどうかを決定するステップと、
−前記決定するステップによって用いられる累積電力変動（Δｓｕｍ（ｋ））を求めるステップであって、前記求めるステップは、さらに前記内部ループ電力制御アルゴリズムによる電力調整に加えて、前記累積電力変動に影響を与え得る少なくとも１つの他の要因を考慮することを含む、求めるステップとを含むアルゴリズムまたは方法を提案する。
【００５８】
３ＧＰＰ規格において現在規定され、先に呼び起こされたアルゴリズムなどのアルゴリズムの最適化の例が以下で開示されるであろう。しかし、当業者によって理解されるように、本発明は、３ＧＰＰ規格において規定される電力制御に限定されない。
【００５９】
第１例において、本発明は、電力増加を要求する電力制御コマンドに従って、送信電力を増加すべきかどうかを決定する３ＧＰＰ規格において用いられる量Δｓｕｍ（ｋ）についての以下の式を提案する。
【数４】
0005358657.tif 000005
通常モードでは、
ＱＴＰＣ（ｋ）＝Ｐ（ｋ）−Ｐ（ｋ−１）であり、
圧縮モードでは、
ＱＴＰＣ（ｋ）＝（Ｐ（ｋ）−ＰＳＩＲ（ｋ））−Ｐ（ｋ−１）であり、
この時、調整済み送信電力Ｐ（ｋ）について以下の式が成り立つ。
【００６０】
通常モードでは、
Ｐ（ｋ）＝ｍｉｎ＿ｍａｘ＿ｌｉｍｉｔ（Ｐ（ｋ−１）＋ＰＴＰＣ（ｋ）＋Ｐｂａｌ（ｋ））であり、
ここで、関数「ｍｉｎ＿ｍａｘ＿ｌｉｍｉｔ（．）」は、Ｐ（ｋ）を、Ｍａｘｉｍｕｍ＿ＤＬ＿ＰｏｗｅｒおよびＭｉｎｉｍｕｍ＿ＤＬ＿Ｐｏｗｅｒによって課される電力限界の範囲内に保つための制限関数を表し、
より正確には、ｍｉｎ＿ｍａｘ＿ｌｉｍｉｔ関数は、
−  ｘ＞Ｍａｘｉｍｕｍ＿ＤＬ＿Ｐｏｗｅｒの場合、ｍｉｎ＿ｍａｘ＿ｌｉｍｉｔ（ｘ）＝Ｍａｘｉｍｕｍ＿ＤＬ＿Ｐｏｗｅｒ、
−  ｘ＜Ｍｉｎｉｍｕｍ＿ＤＬ＿Ｐｏｗｅｒの場合、ｍｉｎ＿ｍａｘ＿ｌｉｍｉｔ（ｘ）＝Ｍｉｎｉｍｕｍ＿ＤＬ＿Ｐｏｗｅｒ、
−  それ以外の場合、ｍｉｎ＿ｍａｘ＿ｌｉｍｉｔ（ｘ）＝ｘに対応し、
圧縮モードでは、
Ｐ（ｋ）＝ｍｉｎ＿ｍａｘ＿ｌｉｍｉｔ＿ｃｍ（Ｐ（ｋ−１）＋ＰＴＰＣ（ｋ）＋Ｐｂａｌ（ｋ）＋Ｐｓｉｒ（ｋ））であり、
ここで、関数「ｍｉｎ＿ｍａｘ＿ｌｉｍｉｔ＿ｃｍ（．）」は、Ｐ（ｋ）を、Ｍａｘｉｍｕｍ＿ＤＬ＿Ｐｏｗｅｒ＋δＰｃｕｒｒおよびＭｉｎｉｍｕｍ＿ＤＬ＿Ｐｏｗｅｒによって課される電力限界の範囲内に保つための制限関数を表し、
より正確には、ｍｉｎ＿ｍａｘ＿ｌｉｍｉｔ関数は、
−  ｘ＞Ｍａｘｉｍｕｍ＿ＤＬ＿Ｐｏｗｅｒ＋δＰｃｕｒｒの場合、ｍｉｎ＿ｍａｘ＿ｌｉｍｉｔ＿ｃｍ（ｘ）＝Ｍａｘｉｍｕｍ＿ＤＬ＿Ｐｏｗｅｒ＋δＰｃｕｒｒであり、
−  ｘ＜Ｍｉｎｉｍｕｍ＿ＤＬ＿Ｐｏｗｅｒの場合、ｍｉｎ＿ｍａｘ＿ｌｉｍｉｔ＿ｃｍ（ｘ）＝Ｍｉｎｉｍｕｍ＿ＤＬ＿Ｐｏｗｅｒ、
−  それ以外の場合、ｍｉｎ＿ｍａｘ＿ｌｉｍｉｔ＿ｃｍ（ｘ）＝ｘに対応する。
【００６１】
第２例において、本発明は、電力増加を要求する電力制御コマンドに従って、送信電力を増加すべきかどうかを決定する３ＧＰＰ規格において用いられる量Δｓｕｍ（ｋ）についての以下の式を提案する。
【数５】
0005358657.tif 000006
−  Ｐ（ｋ）＝Ｍａｘｉｍｕｍ＿ＤＬ＿Ｐｏｗｅｒ＋δＰｃｕｒｒ（ＴＳ  ２５．２１４に従って、ｋ番目のスロットが通常スロットである場合δＰｃｕｒｒ＝０であり、ｋ番目のスロットが圧縮スロットである場合δＰｃｕｒｒ＞０である）である場合、
ＱＴＰＣ（ｋ）＝０であり、
−  Ｐ（ｋ）＝Ｍｉｎｉｍｕｍ＿ＤＬ＿Ｐｏｗｅｒである場合、
ＱＴＰＣ（ｋ）＝０であり、
−  それ以外の場合、ＱＴＰＣ（ｋ）＝ＰＴＰＣ（ｋ）であり、
第１例について先に示したのと同じ、調整済み電力Ｐ（ｋ）の式を有する。
【００６２】
第３例において、本発明は、電力増加を要求する電力制御コマンドに従って、送信電力を増加すべきかどうかを決定する３ＧＰＰ規格において用いられる量Δｓｕｍ（ｋ）についての以下の式を提案する。
【数６】
0005358657.tif 000007
−  Ｐ（ｋ）＞Ｍａｘｉｍｕｍ＿ＤＬ＿Ｐｏｗｅｒ＋δＰｃｕｒｒ（ＴＳ  ２５．２１４に従って、ｋ番目のスロットが通常スロットである場合δＰｃｕｒｒ＝０であり、ｋ番目のスロットが圧縮スロットである場合δＰｃｕｒｒ＞０である）である場合、
ＱＴＰＣ（ｋ）＝０であり、
−  Ｐ（ｋ）＜Ｍｉｎｉｍｕｍ＿ＤＬ＿Ｐｏｗｅｒである場合、
ＱＴＰＣ（ｋ）＝０であり、
−  それ以外である場合、ＱＴＰＣ（ｋ）＝ＰＴＰＣ（ｋ）であり、
規格において現在示される式と同じ式であることができる、すなわち、先に述べた制限関数（通常モードにおける「ｍｉｎ＿ｍａｘ＿ｌｉｍｉｔ（．）」または圧縮モードにおける「ｍｉｎ＿ｍａｘ＿ｌｉｍｉｔ＿ｃｍ（．）」）を考慮するのに修正される必要のない、調整済み電力Ｐ（ｋ）の式を有する。
【００６３】
第１例において、電力限界Ｍａｘｉｍｕｍ＿ＤＬ＿ＰｏｗｅｒおよびＭｉｎｉｍｕｍ＿ＤＬ＿Ｐｏｗｅｒは、制限関数（通常モードにおける「ｍｉｎ＿ｍａｘ＿ｌｉｍｉｔ（．）」または圧縮モードにおける「ｍｉｎ＿ｍａｘ＿ｌｉｍｉｔ＿ｃｍ（．）」）によって考慮される。
【００６４】
第２例において、電力限界Ｍａｘｉｍｕｍ＿ＤＬ＿ＰｏｗｅｒおよびＭｉｎｉｍｕｍ＿ＤＬ＿Ｐｏｗｅｒは、制限関数（通常モードにおける「ｍｉｎ＿ｍａｘ＿ｌｉｍｉｔ（．）」または圧縮モードにおける「ｍｉｎ＿ｍａｘ＿ｌｉｍｉｔ＿ｃｍ（．）」）、および、等式Ｐ（ｋ）＝Ｍａｘｉｍｕｍ＿ＤＬ＿Ｐｏｗｅｒ＋δＰｃｕｒｒまたはＰ（ｋ）＝Ｍｉｎｉｍｕｍ＿ＤＬ＿Ｐｏｗｅｒが満たされるかどうかをチェックすることによって考慮される。
【００６５】
第３例において、電力限界Ｍａｘｉｍｕｍ＿ＤＬ＿ＰｏｗｅｒおよびＭｉｎｉｍｕｍ＿ＤＬ＿Ｐｏｗｅｒは、不等式Ｐ（ｋ）＞Ｍａｘｉｍｕｍ＿ＤＬ＿Ｐｏｗｅｒ＋δＰｃｕｒｒまたはＰ（ｋ）＜Ｍｉｎｉｍｕｍ＿ＤＬ＿Ｐｏｗｅｒが満たされるかどうかをチェックすることによって考慮される。
【００６６】
第２および第３例と比較すると、第１例は、実際の電力変動に近い量Δｓｕｍ（ｋ）を求めることを可能にする。特に、項Ｐｂａｌ（ｋ）が、電力変動がそれに基づいて求められる項Ｐ（ｋ）に含まれる。さらに、電力変動を計算する前に、項ＰＳＩＲ（ｋ）が、Ｐ（ｋ）から減算される。それは、この項が、圧縮モードにおける電力オフセットに対応しており、制限付き電力上昇アルゴリズムに必要とされる電力変動を表さないからである。
【００６７】
第１例と比較すると、第２および第３例は、やはり良好な性能を提供しながら、アルゴリズムの簡略化を可能にする。
【００６８】
第２例と比較すると、第３例は、規格の現在の状態についての変更を少ししか要求されない。
【００６９】
もちろん、当業者によって理解されるように、他の例が可能であると思われる。
【００７０】
さらに、本発明は、ダウンリンク電力制御の場合についてより詳細に示されたが、アップリンク電力制御にも適用されるであろう。
【００７１】
本発明はまた、その目的として、特にダウンリンク電力制御のためのこうした方法を実行する基地局（すなわち、ノードＢ）、または、特にアップリンク電力制御のためのこうした方法を実効する移動端末（すなわち、ＵＥ）などの、ネットワーク機器などの、移動無線通信システム用機器を有する。
【００７２】
図２に示す実施形態によれば、１０で示すような移動無線通信システム用機器は、さらに他の従来型の手段（本明細書では述べられず、従来型であってよい）に加えて、
−最後の受信電力制御コマンドについて既に得られた累積電力変動（Δｓｕｍ（ｋ））を考慮して、電力増加を要求する制御コマンド（ＴＰＣ（ｋ））が適用されるべきかどうかを決定する手段１１と、
−前記決定する手段によって用いられる累積電力変動（Δｓｕｍ（ｋ））を求める手段１２であって、前記累積電力変動を求める手段１２は、さらに前記内部ループ電力制御アルゴリズムによる電力調整に加えて、前記累積電力変動に影響を与え得る少なくとも１つの他の要因を考慮する手段を含む、求める手段１２機器を備える。
【００７３】
前記手段１２は、たとえば、先に述べた第１、第２、または第３例のいずれか１例による方法を行う手段を含む。
【００７４】
上述の手段の特定の実施態様は、当業者には何ら特定の困難さを示さないため、上述の手段は、その機能を述べることによって、先に述べた以上に詳細に述べられる必要はない。
【００７５】
本発明はまた、その目的として、本発明による少なくとも１つのこうした機器を備える移動無線通信システムを有する。
【符号の説明】
【００７６】
１０  移動無線通信システム用機器
１１  受信電力制御コマンドが適用されるべきかどうかを決定する手段
１２  累積電力変動を求める手段
【図１】
0005358657.tif 000014
【図２】
0005358657.tif 000015